(57)【要約】 【課題】  交換前のカメラ装置の設定情報が分からない場合であっても、すみやかにカメラ装置の交換をすることが可能なカメラシステム、カメラ装置及びカメラ交換プログラムを提供する。【解決手段】  カメラシステムは、設定情報を記録する第１のカメラ装置と、第１のカメラ装置に挿入され、設定情報がダウンロードされる外部メディアと、第１のカメラ装置を交換する際に第１のカメラ装置から取り出された外部メディアを取り込み、外部メディアに記録される設定情報をアップロードする第２のカメラ装置とを具備する。【選択図】図１
2012175340.tif 000002
【特許請求の範囲】
【請求項１】
カメラ装置毎に固有に設定される設定情報が外部から供給され、前記設定情報を記録する第１のカメラ装置と、
前記第１のカメラ装置に挿入され、前記設定情報がダウンロードされる外部メディアと、
前記第１のカメラ装置を交換する際に前記第１のカメラ装置から取り出された前記外部メディアを取り込み、前記外部メディアに記録される前記設定情報をアップロードし、自己の設定情報として記録する第２のカメラ装置と
を具備し、
前記第１のカメラ装置は、
前記設定情報を記録する第１の記録部と、
前記外部メディアが挿入される第１の挿入部と、
前記第１の記録部に記録される前記設定情報を、前記第１の挿入部に挿入された前記外部メディアへ書き込む第１の制御部と
を備え、
前記第２のカメラ装置は、
前記外部メディアが挿入される第２の挿入部と、
前記第２の挿入部に挿入された前記外部メディアから前記設定情報を読み出す第２の制御部と、
前記読み出された前記設定情報を記録する第２の記録部と
を備えることを特徴とするカメラシステム。
【請求項２】
前記第１及び第２の記録部は、互いに同一のセキュリティナンバーをさらに記録しており、
前記第１の制御部は、前記設定情報と共に、前記セキュリティナンバーを前記外部メディアへ書き込み、
前記第２の制御部は、前記第２の挿入部に前記外部メディアが挿入されると、前記外部メディアに記録されるセキュリティナンバーと、第２の記録部に記録されるセキュリティナンバーとを比較し、一致する場合、前記外部メディアから前記設定情報を読み出すことを特徴とする請求項１記載のカメラシステム。
【請求項３】
前記第１のカメラ装置は、外部からのダウンロード指示が入力されるダウンロード指示入力部をさらに備え、
前記第１の制御部は、前記ダウンロード指示入力部に前記ダウンロード指示が入力された場合、前記第１の記録部に記録された前記設定情報を、前記第１の挿入部に挿入された前記外部メディアへ書き込むことを特徴とする請求項１記載のカメラシステム。
【請求項４】
前記第２のカメラ装置は、外部からのアップロード指示が入力されるアップロード指示入力部をさらに備え、
前記第２の制御部は、前記アップロード指示入力部に前記アップロード指示が入力された場合、前記第２の挿入部に挿入された前記外部メディアから前記設定情報を読み出すことを特徴とする請求項１及び３のいずれかに記載のカメラシステム。
【請求項５】
前記第１のカメラ装置は、外部からのダウンロード指示が入力されるダウンロード指示入力部をさらに備え、
前記第１の制御部は、前記ダウンロード指示入力部に前記ダウンロード指示が入力された場合、前記第１の記録部に記録された前記設定情報及び前記セキュリティナンバーを、前記第１の挿入部に挿入された前記外部メディアへ書き込み、
前記第２のカメラ装置は、外部からのアップロード指示が入力されるアップロード指示入力部をさらに備え、
前記第２の制御部は、前記第２の挿入部に前記外部メディアが挿入され、前記アップロード指示入力部に前記アップロード指示が入力された場合、前記外部メディアに記録されるセキュリティナンバーと、第２の記録部に記録されるセキュリティナンバーとを比較し、一致する場合、前記外部メディアから前記設定情報を読み出すことを特徴とする請求項３記載のカメラシステム。
【請求項６】
カメラ装置毎に固有に設定される設定情報が外部から供給され、前記設定情報を記録する記録部と、
外部メディアが挿入される挿入部と、
前記記録部に記録される前記設定情報を、前記挿入部に挿入された前記外部メディアへ書き込む制御部と
を具備し、
前記制御部は、前記記録部に前記設定情報が記録されていない状態で、前記挿入部に、他のカメラ装置の挿入部から取り出された外部メディアが挿入された場合、前記外部メディアに記録されている設定情報を前記記録部に記録することを特徴とするカメラ装置。
【請求項７】
前記記録部は、セキュリティナンバーをさらに記録しており、
前記制御部は、前記記録部に記録される前記設定情報を前記外部メディアへ書き込むと共に、前記セキュリティナンバーを前記外部メディアへ書き込み、
前記制御部は、前記記録部に前記設定情報が記録されていない状態で、前記挿入部に、他のカメラ装置の挿入部から取り出された外部メディアが挿入された場合、前記外部メディアに記録されるセキュリティナンバーと、前記記録部に記録されるセキュリティナンバーとを比較し、一致する場合、前記外部メディアに記録されている設定情報を前記記録部に記録することを特徴とする請求項６記載のカメラ装置。
【請求項８】
外部からのダウンロード指示が入力されるダウンロード指示入力部と、外部からのアップロード指示が入力されるアップロード指示入力部とをさらに具備し、
前記制御部は、前記ダウンロード指示入力部に前記ダウンロード指示が入力された場合、前記記録部に記録された前記設定情報を、前記挿入部に挿入された前記外部メディアへ書き込み、
前記制御部は、前記記録部に前記設定情報が記録されていない状態で、前記挿入部に、他のカメラ装置の挿入部から取り出された外部メディアが挿入され、前記アップロード指示入力部に前記アップロード指示が入力された場合、前記外部メディアに記録されている設定情報を前記記録部に記録することを特徴とする請求項６記載のカメラ装置。
【請求項９】
外部からのダウンロード指示が入力されるダウンロード指示入力部と、外部からのアップロード指示が入力されるアップロード指示入力部とをさらに具備し、
前記制御部は、前記ダウンロード指示入力部に前記ダウンロード指示が入力された場合、前記記録部に記録された前記設定情報及び前記セキュリティナンバーを、前記挿入部に挿入された前記外部メディアへ書き込み、
前記制御部は、前記記録部に前記設定情報が記録されていない状態で、前記挿入部に、他のカメラ装置の挿入部から取り出された外部メディアが挿入され、前記アップロード指示入力部に前記アップロード指示が入力された場合、前記外部メディアに記録されるセキュリティナンバーと、前記記録部に記録されるセキュリティナンバーとを比較し、一致する場合、前記外部メディアに記録されている設定情報を前記記録部に記録することを特徴とする請求項７記載のカメラ装置。
【請求項１０】
コンピュータを備えたカメラ装置で使用されるカメラ装置交換プログラムであって、
前記カメラ装置の記録部に記録され、カメラ装置毎に固有に設定される設定情報を、挿入部に挿入された外部メディアへ書き込む書込み処理と、
前記記録部に設定情報が記録されていない状態で、前記挿入部に、他のカメラ装置の挿入部から取り出された外部メディアが挿入された場合、前記外部メディアに記録されている設定情報を前記記録部に記録させる記録処理と
を前記コンピュータに実行させることを特徴とするカメラ装置交換プログラム。
【請求項１１】
前記書込み処理は、前記記録部にさらに記録されるセキュリティナンバーを、前記設定情報と共に前記外部メディアへ書き込み、
前記記録部に前記設定情報が記録されていない状態で、前記挿入部に、他のカメラ装置の挿入部から取り出された外部メディアが挿入された場合、前記外部メディアに記録されるセキュリティナンバーと、前記記録部に記録されるセキュリティナンバーとが一致するか否かを判断する判定処理を前記コンピュータにさらに実行させ、
前記記録処理は、前記セキュリティナンバーが一致する場合、前記外部メディアに記録されている設定情報を前記記録部に記録させることを特徴とする請求項１０記載のカメラ装置交換プログラム。
【発明の詳細な説明】
【技術分野】
【０００１】
本発明の実施形態は、カメラシステム、このカメラシステムで用いられるカメラ装置及びカメラ装置交換プログラムに関する。
【背景技術】
【０００２】
カメラ装置、特に一体型と呼ばれるカメラ装置は、動作させる前に設定情報を設定する。設定情報とは、カメラＩＤ及びＩＰアドレス等、カメラ装置毎に固有に設定する情報である。
【０００３】
現状では、設定情報の設定用ソフトウェアがインストールされた汎用ＰＣにより、カメラ装置に設定情報を書き込むようにしている。
【先行技術文献】
【特許文献】
【０００４】
【特許文献１】特開２００９−１００２２０号公報
【発明の概要】
【発明が解決しようとする課題】
【０００５】
ところで、撮影地においてカメラ装置が故障等した場合には、新たなカメラ装置に設定情報を設定する必要がある。
【０００６】
しかしながら、上述した方法では、故障等によるカメラ交換において交換前のカメラ装置の設定情報が分からない場合、改めて設定情報を決めるなど、カメラ交換に時間を要する場合があった。
【０００７】
そこで、本カメラシステム、このシステムで用いられるカメラ装置及びカメラ交換プログラムは、交換前のカメラ装置の設定情報が分からない場合であっても、すみやかにカメラ装置の交換をすることを可能とする。
【課題を解決するための手段】
【０００８】
実施形態によれば、カメラシステムは、カメラ装置毎に固有に設定される設定情報が外部から供給され、前記設定情報を記録する第１のカメラ装置と、前記第１のカメラ装置に挿入され、前記設定情報がダウンロードされる外部メディアと、前記第１のカメラ装置を交換する際に前記第１のカメラ装置から取り出された前記外部メディアを取り込み、前記外部メディアに記録される前記設定情報をアップロードし、自己の設定情報として記録する第２のカメラ装置とを具備する。前記第１のカメラ装置は、第１の記録部、第１の挿入部及び第１の制御部を備える。第１の記録部は、前記設定情報を記録する。第１の挿入部は、前記外部メディアが挿入される。第１の制御部は、前記第１の記録部に記録される前記設定情報を、前記第１の挿入部に挿入された前記外部メディアへ書き込む。前記第２のカメラ装置は、第２の挿入部、第２の制御部及び第２の記録部を備える。第２の挿入部は、前記外部メディアが挿入される。第２の制御部は、前記第２の挿入部に挿入された前記外部メディアから前記設定情報を読み出す。第２の記録部は、前記読み出された前記設定情報を記録する。
【図面の簡単な説明】
【０００９】
【図１】第１の実施形態に係るカメラシステムの機能構成を示すブロック図である。
【図２】図１のカメラ装置が設定情報を外部メディアへダウンロードする際のフローチャート図である。
【図３】図１の外部メディアに記録される設定情報をカメラ装置へアップロードする際のフローチャート図である。
【図４】第２の実施形態に係る外部メディアに記録される設定情報をカメラ装置へアップロードする際のフローチャート図である。
【発明を実施するための形態】
【００１０】
以下、実施の形態について、図面を参照して説明する。
【００１１】
（第１の実施形態）  
図１は、第１の実施形態に係るカメラシステム１０の機能構成を示すブロック図である。図１に示すカメラシステム１０は、カメラ装置１１、外部メディア１２及びカメラ装置１３を含む構成である。なお、以下では説明の便宜上、カメラ装置１１とカメラ装置１３とはそれぞれ別の動作を行うように説明しているが、カメラ装置１１，１３は、互いの動作を実行することが可能である。
【００１２】
カメラ装置１１は、使用される前に汎用ＰＣ２０とシリアルケーブル又はＬＡＮケーブルにより接続され、汎用ＰＣ２０により設定情報が書き込まれる。ここで、汎用ＰＣ２０には、設定情報の設定用ソフトウェアが予めインストールされている。設定情報とは、カメラ装置毎に固有に設定される情報のことである。設定情報には、カメラ装置１１が一体旋回型のカメラ装置である場合にはカメラＩＤが含まれ、カメラ装置１１がＩＰカメラである場合にはＩＰアドレスが含まれる。なお、設定情報には、ホワイトバランス等のその他の種々パラメータが含まれていても構わない。
【００１３】
カメラ装置１１は、インタフェース部１１１、記録部１１２、挿入スロット１１３、入力部１１４及び制御部１１５を備える。
【００１４】
インタフェース部１１１は、シリアルＩ／Ｆ又はＬＡＮ  Ｉ／Ｆであり、汎用ＰＣ２０とシリアルケーブル又はＬＡＮケーブルにより接続する。インタフェース部１１１は、汎用ＰＣ２０から供給される設定情報を受け取る。
【００１５】
記録部１１２は、例えば、ＲＯＭ（Read Only Memory）等から成る。記録部１１２には、カメラ装置を交換する際に、制御部１１５により実行されるカメラ装置交換プログラムが記録されている。また、記録部１１２は、インタフェース部１１１を介して入力される設定情報を記録する。
【００１６】
挿入スロット１１３には、外部メディア１２を挿入することが可能である。ここで、外部メディア１２は、例えば、ＳＤカードやＵＳＢメモリ等の汎用メモリやＤＶＤ等が該当する。
【００１７】
入力部１１４は、例えば、ダウンロード指示ボタン１１４１及びアップロード指示ボタン１１４２を備える。カメラ装置のユーザは、ダウンロード指示ボタン１１４１を押すことで、ダウンロード指示をカメラ装置１１へ入力する。
【００１８】
制御部１１５は、例えばマイクロプロセッサからなるＣＰＵ（Central Processing Unit）を備えたものであり、カメラ装置１１内の種々の制御を行う。制御部１１５は、入力部１１４にダウンロード指示が入力されると、記録部１１２に記録されるカメラ装置交換プログラムを実行する。すなわち、制御部１１５は、入力部１１４にダウンロード指示が入力されると、記録部１１２に記録された設定情報を、挿入スロット１１３に挿入された外部メディア１２に記録する。
【００１９】
なお、ここでは、ダウンロード指示により、制御部１１５がカメラ装置交換プログラムを実行する場合を説明したが、これに限定される訳ではない。例えば、制御部１１５は、記録部１１２に設定情報が書き込まれると、カメラ装置交換プログラムを実行し、記録部１１２に書き込まれた設定情報を外部メディア１２へ書き込むようにしても構わない。
【００２０】
図１に示すカメラ装置１３は、カメラ装置１１が故障等し、交換する必要がある際に用意されるカメラ装置である。カメラ装置１３は、挿入スロット１３１、記録部１３２、入力部１３３及び制御部１３４を備える。カメラ装置１１をカメラ装置１３へ交換する場合、カメラ装置１１のユーザは、挿入スロット１１３に挿入された外部メディアを取り出し、カメラ装置１３の挿入スロット１３１に挿入する。なお、初期状態において、カメラ装置１３の記録部１３２には、カメラ装置交換プログラムは記録されているが、設定情報は記録されていない。
【００２１】
入力部１３３は、例えば、ダウンロード指示ボタン１３３１及びアップロード指示ボタン１３３２を備える。カメラ装置のユーザは、アップロード指示ボタン１３３２を押すことで、アップロード指示をカメラ装置１３へ入力する。
【００２２】
制御部１３４は、入力部１３３にアップロード指示が入力されると、記録部１３２に記録されるカメラ装置交換プログラムを実行する。すなわち、制御部１３４は、入力部１３３にアップロード指示が入力されると、外部メディア１２に記録された設定情報を、記録部１３２に記録する。これにより、外部メディア１２に書き込まれた設定情報がカメラ装置１３の設定情報として扱われることとなる。
【００２３】
なお、ここでは、アップロード指示により、制御部１３４がカメラ装置交換プログラムを実行する場合を説明したが、これに限定される訳ではない。例えば、制御部１３４は、挿入スロット１３１に外部メディア１２が接続されると、カメラ装置交換プログラムを実行し、外部メディア１２に記録されている設定情報を記録部１３２へ書き込むようにしても構わない。
【００２４】
次に、以上のように構成されたカメラシステムにおけるカメラ装置１１を、カメラ装置１３に交換する際の処理を説明する。図２は、第１の実施形態に係るカメラ装置１１が設定情報を外部メディア１２へダウンロードする際のフローチャートを示す図である。
【００２５】
まず、記録部１１２は、汎用ＰＣ２０から入力される設定情報を記録する（ステップＳ２１）。制御部１１５は、入力部１１４からダウンロード指示があるか否かを判断し（ステップＳ２２）、ダウンロード指示がある場合（ステップＳ２２のＹｅｓ）、カメラ装置交換プログラムを実行し、記録部１１２に記録された設定情報を挿入スロット１１３に接続された外部メディア１２へダウンロードする（ステップＳ２３）。ダウンロード指示がない場合（ステップＳ２２のＮｏ）、制御部１１５は、指示があるまで待機する。
【００２６】
図３は、外部メディア１２に記録される設定情報をカメラ装置１３へアップロードする際のカメラ装置１３の処理を示すフローチャートである。
【００２７】
まず、カメラ装置１１の挿入スロット１１３から取り出された外部メディア１２がカメラ装置１３の挿入スロット１３１に挿入される（ステップＳ３１）。制御部１３４は、入力部１３３からアップロード指示があるか否かを判断し（ステップＳ３２）、アップロード指示がある場合（ステップＳ３２のＹｅｓ）、カメラ装置交換プログラムを実行し、外部メディア１２に記録される設定情報を記録部１３２へアップロードする（ステップＳ３３）。アップロード指示がない場合（ステップＳ３２のＮｏ）、制御部１３４は、指示があるまで待機する。
【００２８】
以上のように、第１の実施形態では、カメラ装置１１の設定情報を外部メディア１２へダウンロードする。カメラ装置１１が故障等し、カメラ装置１３へ交換する必要がある場合、外部メディア１２は、カメラ装置１１から取り外され、カメラ装置１３へ挿入される。そして、カメラ装置１３は、外部メディア１２の内容を記録部１３２へアップロードするようにしている。これにより、カメラ装置１１の設定情報が不明であっても、設定情報をカメラ装置１３へ正確に引き継ぐことが可能となる。また、外部メディア１２の交換のみでカメラ装置１１の設定情報をカメラ装置１３へ引き継ぐことが可能であるため、汎用ＰＣ２０がある場所までカメラ装置を送る必要もない。
【００２９】
したがって、第１の実施形態に係るカメラシステムによれば、交換前のカメラ装置１１の設定情報が分からない場合であっても、短い時間でカメラ装置１３へ交換することができる。
【００３０】
（第２の実施形態）
第２の実施形態に係るカメラシステムでは、カメラ装置１１の記録部１１２及びカメラ装置１３の記録部１３２に、カメラ装置交換プログラム及びセキュリティマッチングプログラムが記録されている。
【００３１】
このとき、記録部１１２，１３２には、同一のセキュリティナンバーが予め記録されている。このセキュリティナンバーは、例えば、カメラ装置１１，１３の製造の際に記録部１１２，１３２へ書き込まれる。また、カメラ装置を新たに購入する際に、１台目と同一のセキュリティナンバーが登録されるようにしても良い。
【００３２】
カメラ装置１１の制御部１１５は、入力部１１４にダウンロード指示が入力されると、記録部１１２に記録されるカメラ装置交換プログラムを実行する。すなわち、制御部１１５は、入力部１１４にダウンロード指示が入力されると、記録部１１２に記録されている設定情報及びセキュリティナンバーを、挿入スロット１１３に挿入された外部メディア１２に記録する。
【００３３】
なお、ダウンロード指示により、制御部１１５がカメラ装置交換プログラムを実行する場合を説明したが、例えば、記録部１１２に設定情報が書き込まれると、カメラ装置交換プログラムを実行し、記録部１１２に記録されている設定情報及びセキュリティナンバーを外部メディア１２へ書き込むようにしても構わない。
【００３４】
カメラ装置１３の制御部１３４は、入力部１３３にアップロード指示が入力されると、記録部１３２に記録されるセキュリティマッチングプログラムを実行する。すなわち、制御部１３４は、入力部１３３にアップロード指示が入力されると、記録部１３２に記録されるセキュリティナンバーと、外部メディア１２に記録されたセキュリティナンバーとが一致するか否かを判断する。そして、両セキュリティナンバーが一致する場合、制御部１３４は、カメラ装置交換プログラムを実行し、外部メディア１２に記録された設定情報を、記録部１３２に記録する。
【００３５】
なお、ここでは、アップロード指示により、制御部１３４がセキュリティマッチングプログラムを実行する場合を説明したが、これに限定される訳ではない。例えば、制御部１３４は、挿入スロット１３１に外部メディア１２が接続されると、セキュリティマッチングプログラムを実行し、両セキュリティナンバーのマッチングを行っても構わない。
【００３６】
図４は、外部メディア１２に記録される設定情報をカメラ装置１３へアップロードする際のカメラ装置１３の処理を示すフローチャートである。
【００３７】
まず、カメラ装置１１の挿入スロット１１３から取り出された外部メディア１２がカメラ装置１３の挿入スロット１３１に挿入される（ステップＳ４１）。制御部１３４は、入力部１３３からアップロード指示があるか否かを判断し（ステップＳ４２）、アップロード指示がある場合（ステップＳ４２のＹｅｓ）、記録部１３２に記録されるセキュリティマッチングプログラムを実行し（ステップＳ４３）、外部メディア１２に記録されるセキュリティナンバーと、記録部１３２に記録されるセキュリティナンバーとを比較し、両セキュリティナンバーが一致するか否かを判断する（ステップＳ４４）。アップロード指示がない場合（ステップＳ４２のＮｏ）、制御部１３４は、指示があるまで待機する。
【００３８】
両セキュリティナンバーが一致する場合（ステップＳ４４のＹｅｓ）、制御部１３４は、カメラ装置交換プログラムを実行し、外部メディア１２に記録される設定情報を記録部１３２へアップロードし（ステップＳ４５）、処理を終了する。両セキュリティナンバーが一致しない場合（ステップＳ４４のＮｏ）、処理を終了する。
【００３９】
以上のように、第２の実施形態では、カメラ装置１１，１３にそれぞれ同一のセキュリティナンバーが記録されており、カメラ交換をする際には、外部メディア１２のセキュリティナンバーと、交換後のカメラ装置１３のセキュリティナンバーとを比較する。そして、両セキュリティナンバーが同一である場合、外部メディア１２に記録された設定情報をカメラ装置１３の記録部１３２へ記録するようにしている。これにより、セキュリティナンバーが異なるカメラ装置へ設定情報をアップロードすることが不可能となる。つまり、例えば、設定情報が書き込まれた外部メディアを紛失したとしても、セキュリティナンバーが非同一のカメラ装置では設定情報はアップロードできないため、秘密が漏洩することは無い。
【００４０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４１】
１０…カメラシステム
１１，１３…カメラ装置
１１１…インタフェース部
１１２，１３２…記録部
１１３，１３１…挿入スロット
１１４，１３３…入力部
１１４１，１３３１…ダウンロード指示ボタン
１１４２，１３３２…アップロード指示ボタン
１１５，１３４…制御部
１２…外部メディア
２０…汎用ＰＣ
【図１】
2012175340.tif 000003
【図２】
2012175340.tif 000004
【図３】
2012175340.tif 000005
【図４】
2012175340.tif 000006